(57)【特許請求の範囲】
【請求項１】
書換可能型２層ディスク用ドライブ部と、
２層ディスクの各層に記録されたファイルを管理するファイル管理部と、
記録されているファイルの一覧を各層ごとに表示するファイル管理インターフェイス部と、
からなる記録再生装置。
【請求項２】
ファイル管理部は、
各層毎に単層ディスクにディスクコピーするためのディスクコピー手段を有する請求項１に記載の記録再生装置。
【請求項３】
ファイル管理部は、
一の層に記録されたファイルを他の層に複写又は／及び、移動するための複写移動手段を有する請求項１又は２に記載の記録再生装置。
【請求項４】
ファイル管理インターフェイス部は、各層毎に表示されたファイルの一覧中のファイルアイコンをドラッグ・ドロップすることで複写移動手段を制御するドラッグ・ドロップ手段を有する請求項３に記載の記録再生装置。
【請求項５】
ファイル管理部は、各層に記録されたファイルの属性情報と、２層ディスクの属性情報とに基づいて各層毎の容量情報を管理する各層毎容量管理手段を有する請求項１から４のいずれか一に記載の記録再生装置。
【請求項６】
ファイル管理部は、各層毎容量管理手段が管理する容量情報に基づいて複写移動手段を制御するための容量情報依存制御手段を有する請求項５に記載の記録再生装置。
【請求項７】
ファイル管理インターフェイス部は、各層毎容量管理手段が管理する容量情報に基づいて両層のファイルの中から単一層の記録容量をできるだけ満たすのに適したファイルの組合せを表示する組合表示手段を有する請求項５又は６に記載の記録再生装置。
【請求項８】
組合表示手段は、さらにファイル管理部からファイル属性情報を取得して、ファイル属性情報にも基づいて組合せを表示する請求項７に記載の記録再生装置。
【請求項９】
２層ディスクドライブの一の層を単層ディスクにディスクコピーするための単層ディスクドライブ部をさらに有する請求項１から８のいずれか一に記載の記録再生装置。
【請求項１０】
２層ディスクの各層に記録されたファイルを管理するファイル管理ステップと、
記録されているファイルの一覧を各層ごとに表示するファイル管理インターフェイスステップと、
からなる記録再生装置の動作方法。
【請求項１１】
ファイル管理ステップは、
各層毎に単層ディスクにディスクコピーするためのディスクコピーステップを有する請求項１０に記載の記録再生装置の動作方法。
【請求項１２】
ファイル管理ステップは、各層に記録されたファイルの属性情報と、２層ディスクの属性情報とに基づいて各層毎の容量情報を管理する各層毎容量管理ステップを有する請求項１０又は１１に記載の記録再生装置の動作方法。
【請求項１３】
ファイル管理インターフェイスステップは、各層毎容量管理ステップが管理する容量情報に基づいて両層のファイルの中から単一層の記録容量をできるだけ満たすのに適したファイルの組合せを表示する組合表示ステップを有する請求項１２に記載の記録再生装置の動作方法。
【請求項１４】
組合表示ステップは、さらにファイル管理部からファイル属性情報を取得して、ファイル属性情報にも基づいて組合せを表示する請求項１３に記載の記録再生装置の動作方法。
【発明の詳細な説明】
【技術分野】
【０００１】
本発明は、２レイヤディスクのコンテンツ情報をレイヤごとに同時に表示することができる記録再生装置に関する。
【背景技術】
【０００２】
従来、ＤＶＤ（Ｄｉｇｉｔａｌ  Ｖｅｒｓａｔｉｌｅ  Ｄｉｓｋ）などの記録媒体に記録されているコンテンツの一覧を表示するための方法として、サムネイルを利用する方法が用いられている。例えば、特許文献１には、単一のメディアドライブに格納されているメディアの画像のサムネイルを利用してファイルの一覧表示やファイル操作などを行う方法が開示されている。
【特許文献１】特開２００５−４４１９
【発明の開示】
【発明が解決しようとする課題】
【０００３】
しかしながら、特許文献１に開示されているサムネイルの表示方法は、主に、単層のディスクについての表示方法であり、近年ディスクの大容量化に伴って開発が行われている２レイヤディスク（デュアルレイヤディスクともいう）などの多層のディスクの各層ごとの表示方法については何ら開示されていない。
【課題を解決するための手段】
【０００４】
本発明は、上記課題に鑑みなされたものである。
【０００５】
第一の発明は、書換可能型２層ディスク用ドライブ部と、２層ディスクの各層に記録されたファイルを管理するファイル管理部と、記録されているファイルの一覧を各層ごとに表示するファイル管理インターフェイス部と、からなる記録再生装置に関する。
【０００６】
第二の発明は、ファイル管理部は、各層毎に単層ディスクにディスクコピーするためのディスクコピー手段を有する第一の発明に記載の記録再生装置に関する。
【０００７】
第三の発明は、ファイル管理部は、一の層に記録されたファイルを他の層に複写又は／及び、移動するための複写移動手段を有する第一の発明又は第二の発明に記載の記録再生装置に関する。
【０００８】
第四の発明は、ファイル管理インターフェイス部は、各層毎に表示されたファイルの一覧中のファイルアイコンをドラッグ・ドロップすることで複写移動手段を制御するドラッグ・ドロップ手段を有する第三の発明に記載の記録再生装置に関する。
【０００９】
第五の発明は、ファイル管理部は、各層に記録されたファイルの属性情報と、２層ディスクの属性情報とに基づいて各層毎の容量情報を管理する各層毎容量管理手段を有する第一の発明から第四の発明のいずれか一に記載の記録再生装置に関する。
【００１０】
第六の発明は、ファイル管理部は、各層毎容量管理手段が管理する容量情報に基づいて複写移動手段を制御するための容量情報依存制御手段を有する第五の発明に記載の記録再生装置に関する。
【００１１】
第七の発明は、ファイル管理インターフェイス部は、各層毎容量管理手段が管理する容量情報に基づいて両層のファイルの中から単一層の記録容量をできるだけ満たすのに適したファイルの組合せを表示する組合表示手段を有する第五の発明又は第六の発明に記載の記録再生装置に関する。
【００１２】
第八の発明は、組合表示手段は、さらにファイル管理部からファイル属性情報を取得して、ファイル属性情報にも基づいて組合せを表示する第七の発明に記載の記録再生装置に関する。
【００１３】
第九の発明は、２層ディスクドライブの一の層を単層ディスクにディスクコピーするための単層ディスクドライブ部をさらに有する第一の発明から第八の発明のいずれか一に記載の記録再生装置に関する。
【発明の効果】
【００１４】
本発明によれば、２層ディスクの各層に記録されているファイルの一覧を各層ごとに表示することができる。
【発明を実施するための最良の形態】
【００１５】
以下に本発明の実施形態を説明する。実施形態と、請求項との関係はおおむね次のようなものである。
実施形態１は、主に、請求項１、請求項１０などについて説明している。
実施形態２は、主に、請求項２、請求項１１などについて説明している。
実施形態３は、主に、請求項３について説明している。
実施形態４は、主に、請求項４について説明している。
実施形態５は、主に、請求項５、請求項１２などについて説明している。
実施形態６は、主に、請求項６について説明している。
実施形態７は、主に、請求項７、請求項１３などについて説明している。
実施形態８は、主に、請求項８、請求項１４などについて説明している。
実施形態９は、主に、請求項９について説明している。
【００１６】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェイス、その他の周辺装置などのハードウェア構成部や、それらハードウェアを制御するためのドライバプログラムやその他アプリケーションプログラムなどが挙げられる。
【００１７】
また、この発明は装置またはシステムとして実現できるのみでなく、方法としても実現可能である。また、このような発明の一部をソフトウェアとして構成することもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１８】
以下に、図を用いて本発明の実施の形態を説明する。なお、本発明はこれら実施の形態に何ら限定されるものではなく、その要旨を逸脱しない範囲において、種々なる態様で実施しうる。
【００１９】
<<実施形態１>>
以下に、実施形態１について説明する。
<実施形態１の概念>
以下に本実施形態の概念について説明する。
図１は、本実施形態の概念の一例を説明するための図である。本実施形態の記録再生装置０１００は、２層ディスクの各層に記録されているファイルの一覧を各層ごとに表示することができる。図１においては、レイヤ０に記録されているコンテンツのサムネイルＡ、サムネイルＢと、レイヤ１に記録されているコンテンツのサムネイルＣがそれぞれレイヤごとに表示されている。
【００２０】
<構成要件の明示>
以下に、本実施形態の構成要件を明示する。
図２は、本実施形態の機能ブロックの一例を示すための図である。本実施形態の記録再生装置０２００は、書換可能型２層ディスク用ドライブ部０２０１と、ファイル管理部０２０２と、ファイル管理インターフェイス部０２０３と、からなる。
【００２１】
<構成要件の説明>
以下に、本実施形態の構成要件について説明をする。
（書換可能型２層ディスク用ドライブ部）
「書換可能型２層ディスク用ドライブ部」は、書換可能型２層ディスクに記録されている信号を読み出したり、書換可能型２層ディスクに信号を記録したりするように構成されている。ここで「書換可能型２層ディスク」とは、信号を記録する層を２層有する書換え可能な光ディスクのことをいう。書換可能型２層ディスクには、その物理的構造から、片面２層式のものと、両面１層式のものとが存在する。同一方向の面に各層のピットが形成されている構造のものを片面２層式という。片面２層式の書換可能型２層ディスクには、一例として、ＤＶＤ＋Ｒ  ＤＬ（Ｄｕａｌ  Ｌａｙｅｒ）、ＤＶＤ−Ｒ  ＤＬ（Ｄｕａｌ  Ｌａｙｅｒ）などが挙げられる。片面２層式のディスクの容量は、一例として、８．５ＧＢ（１２ｃｍディスクの場合）、２．７ＧＢ（８ｃｍディスクの場合）などが挙げられる。次に反対方向の面に各層のピットが形成されている構造のものを両面１層式という。両面１層式の書換可能型２層ディスクには、一例として、ＤＶＤ−Ｒ  ＤｏｕｂｌｅＳｉｄｅｄなどが挙げられる。両面１層式のディスクの容量は、一例として、９．４ＧＢ（１２ｃｍディスクの場合）、２．９ＧＢ（８ｃｍディスクの場合）などが挙げられる。
【００２２】
以下に、片面２層式と両面１層式の書換可能型２層ディスクに記録された信号の再生方法について簡単に説明する。まず書換可能型２層ディスクの各層は、一方の面に信号を記録する領域が設定され、この信号を記録する領域にピットが形成され、その上に金属膜からなる反射層が形成されている。片面２層式の書換可能型２層ディスクは、２層に設けられたこれらのピットに対して、光学ピックアップが同じ方向からそれぞれの層に焦点を合わせて再生用レーザ光を照射し、反射層から反射された信号を読み取って再生する。また両面１層式の書換可能型２層ディスクは、２層に設けられたピットに対して、光学ピックアップが逆の方向からそれぞれの層に焦点を合わせて再生用レーザ光を照射し、反射層から反射された信号を読み取って再生する。
【００２３】
次に、信号を２層に記録していく方法には、一般的に、シーケンシャル記録方式と、レイヤジャンプ記録方式がある。シーケンシャル記録方式とは、一の層における信号を記録する領域全てに対して信号を記録し終わってから、他の層に対して信号の記録を開始する方式のことをいう。またレイヤジャンプ記録方式とは、記録するデータを均等に分割して、内周から順に２つの記録層に対して交互に信号を記録していく方式のことをいう。本発明においては、上記シーケンシャル方式のみを対象としている。なぜならば、レイヤジャンプ記録方式では記録された各コンテンツが２層にまたがって記録されるため、各コンテンツを単一のレイヤごとに表示することができないからである。
【００２４】
書換可能型２層ディスク用ドライブ部にて読み書きされるデータは、ファイル管理部に入出力されるなどして利用される。
【００２５】
（ファイル管理部）
「ファイル管理部」は、２層ディスクの各層に記録されたファイルを管理するように構成されている。ここで「ファイル」とは、２層ディスクに対して入出力される際に、一かたまりとして取り扱われるデータのことをいう。ファイルには、一例として、静止画像ファイル、映像（動画像ともいう）ファイル、音声ファイル、制御ファイルなどが挙げられる。ファイル管理部は、一例として、ファイルを、その属性情報と関連付けて管理する。ここで「属性情報」には、一例として、ファイルが２層ディスクのどの層に記録されていたか、あるいはファイルが２層ディスクのどの層に記録されるべきかを示す情報（以下、層情報という）、ファイルの容量を示す情報、ファイルの記録時間を示す情報（録画時間、録音時間など）、ファイルのジャンルを示す情報、録画チャンネルを示す情報、ファイルとファイルとの関連を示す情報などが挙げられる。ここで「ファイルとファイルとの関連を示す情報」には、一例として、映像コンテンツが複数のファイルから構成されている場合に、映像コンテンツを構成するファイルの順序を示す情報などが挙げられる。またファイル管理部は、一例として、ファイルの内容を示す文字情報、静止画情報、サムネイル情報などを生成するように構成することもできる。
【００２６】
ファイル管理部で管理されるファイルは、書換可能型２層ディスク用ドライブ部、ファイル管理インターフェイス部に入出力されるなどして利用される。
【００２７】
（ファイル管理インターフェイス部）
「ファイル管理インターフェイス部」は、記録されているファイルの一覧を各層ごとに表示するように構成されている。ここで「ファイルの一覧」には、一例として、ファイルの内容を示す文字情報、静止画情報、サムネイル情報やそれらの組合せなどが挙げられる。ファイル管理インターフェイス部は、一例として、ファイル管理部から取得したファイルの層情報に従って、ファイルの一覧を表示装置（例えばディスプレイなど）に適合するデータ形式に変換して、１画面中に表示する。なお、前記「１画面中」には、画面をスクロールして表示できる場合が含まれていてもよい。また、２層のファイルの一覧をすべて同時に表示してもよいが、本発明は、それに限定されるものではない。例えばどちらか１つの層のファイルの一覧を表示しないというように、その一部を同時に表示しないように構成してもよい。
【００２８】
なおファイル管理インターフェイス部が、一例として、ファイルの内容を示す文字情報、静止画情報、サムネイル情報などを生成するように構成してもよい。
【００２９】
図３は、ディスプレイに各層ごとに表示されたファイルの一覧の一例を示すための図である。図３においては、下側にレイヤ０のファイル一覧がサムネイル表示されている（サムネイルＡ、サムネイルＢ、サムネイルＣ）。また上側にレイヤ１のファイル一覧がサムネイル表示されている（サムネイルＤ、サムネイルＥ）。
【００３０】
（ハードウェア構成図）
以下に、本実施形態のハードウェア構成の一例について説明する。
図４は、本実施形態の記録再生装置のハードウェア構成の一例を示す概略図である。この図を利用して、記録再生装置のそれぞれのハードウェア構成部の働きについて説明する。この図にあるように、記録再生装置０４００は、書換可能型２層ディスク用ドライブ部０４０１を備えている。また、記録再生装置は、ファイル管理部０４０２に「ＣＰＵ（中央処理装置）」（０４０４）と、「主メモリ」（０４０５）と、「記憶装置」（０４０６）と、「内蔵時計」（０４０７）と、「ストリーム管理手段」（０４０８）と、を備えている。また、記録再生装置は、ファイル管理インターフェイス部０４０３に「映像デコード器」（０４０９）と、「ＶＲＡＭ（Ｖｉｄｅｏ  Ｒａｎｄｏｍ  Ａｃｃｅｓｓ  Ｍｅｍｏｒｙ）」（０４１０）と、「ディスプレイ」（０４１１）と、を備えている。そして、それらが「システムバス」（０４１２）などのデータ通信経路によって相互に接続され、情報の送受信や処理を行う。
【００３１】
記憶装置は、ＣＰＵにて実行される各種プログラム（例えばファイル管理用プログラム、ファイル一覧生成用プログラムなど）や、書換可能型２層ディスク用ドライブ部から取得したファイルなどを記憶している。またＣＰＵは、記憶装置に記憶されているプログラムを実行するために読み出す。それと同時に主メモリは、そのプログラムの作業領域でもあるワーク領域を提供する。また、主メモリや記憶装置にはそれぞれメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。また、ストリーム管理手段はＣＰＵからの指令により、書換可能型２層ディスク用ドライブ部から管理情報（例えば、ＴＯＣ（Ｔａｂｌｅ  Ｏｆ  Ｃｏｎｔｅｎｔｓ）情報）を読み出したり、書換可能型２層ディスク用ドライブ部に書き込んだりする処理を行う。また、映像デコード器は、ストリーム管理手段が読み込んだ管理情報やファイルをデコードし、ディスプレイに適合する形式に変換する。ＶＲＡＭは、ディスプレイに適合する形式に変換されたファイルの一覧を保持する。ディスプレイは、ＶＲＡＭから出力されたファイルの一覧を表示する。以上が各ハードウェア構成の機能である。
【００３２】
以下に、２層ディスクの各層ごとにファイルの一覧をディスプレイの画面に表示する場合について説明する。まず記録再生装置の電源を入れると、記憶装置に記憶されているファイル管理用プログラム（アドレス０１）が主メモリのワーク領域（アドレス１１）に展開され、ストリーム管理手段を介して書換可能型２層ディスク用ドライブ部からＴＯＣ情報を読み込む。ファイル管理用プログラムは、ＴＯＣ情報に基づいてサムネイル情報（サムネイル１、サムネイル２）を、ストリーム管理手段を介して取得し、主メモリに書き込む。なお、サムネイル情報は、２層ディスクに予め格納されている場合に限定されず、ＴＯＣ情報に基づいて、ファイル管理用プログラムが生成するように構成されていてもよい。次に、ファイル管理インターフェイス部は、上記サムネイル１（レイヤ０）、サムネイル２（レイヤ１）を映像デコード器でデコードして、層情報レイヤ０、１と関連付けてサムネイル１（レイヤ０：アドレス２１）、サムネイル２（レイヤ１：アドレス２２）を、上記のように一時的に主メモリなどに格納する。次にファイル管理インターフェイス部は、ファイル一覧生成用プログラム（アドレス０２）を起動して、主メモリのワーク領域（アドレス１２）に展開し、主メモリのデータ領域に格納されているサムネイル１、サムネイル２に基づいて各層ごとのファイルの一覧を生成し、保持する。保持された各層ごとのファイルの一覧は、ＶＲＡＭに出力される。ＶＲＡＭは、各層ごとのファイルの一覧をディスプレイに出力する。ディスプレイは、ファイルの一覧を各層ごとに表示する。
【００３３】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図５は、本実施形態の処理の流れの一例を説明するための図である。
まず、ファイル管理ステップは、書換可能型２層ディスク用ドライブ部から管理情報を取得する（ステップＳ０５０１）。
次に、ファイル管理ステップは、管理情報からファイルがレイヤ０に記録されているか判断する。判断の結果、レイヤ０に記録されている場合には、ステップＳ０５０３に進み、レイヤ０に記録されていない場合には、ステップＳ０５０５に進む（ステップＳ０５０２）。
次に、ファイル管理インターフェイスステップは、レイヤ０としてファイルの一覧を生成する（ステップＳ０５０３）。
次に、ファイル管理インターフェイスステップは、記録されているファイルの一覧を各層ごとに表示する（ステップＳ０５０４）。
次に、ファイル管理ステップは、レイヤ０に記録されていない場合には、管理情報からファイルがレイヤ１に記録されているか判断する。判断の結果、レイヤ１に記録されている場合には、ステップＳ０５０６に進み、レイヤ１に記録されていない場合には、処理を終了する（ステップＳ０５０５）。
次に、ファイル管理インターフェイスステップは、レイヤ１としてファイルの一覧を生成し、ステップＳ０５０４に進む（ステップＳ０５０６）。
【００３４】
<実施形態１の効果の簡単な説明>
本実施形態の記録再生装置によれば、２層ディスクの各層に記録されたファイルを、各層ごとに一覧表示することができる。
【００３５】
<<実施形態２>>
以下に、実施形態２について説明する。
<実施形態２の概念>
以下に本実施形態の概念について説明する。本実施形態は、ファイル管理部が、各層毎に単層ディスクにディスクコピーするためのディスクコピー手段を有する実施形態１に記載の記録再生装置に関する。
【００３６】
<構成要件の明示>
以下に、本実施形態の構成要件を明示する。
図６は、本実施形態の機能ブロックの一例を示すための図である。本実施形態の記録再生装置０６００は、書換可能型２層ディスク用ドライブ部０６０１と、ファイル管理部０６０２と、ファイル管理インターフェイス部０６０３と、からなる。また、ファイル管理部は、ディスクコピー手段０６０４を有する。
【００３７】
<構成要件の説明>
以下に、本実施形態の構成要件について説明をする。
（書換可能型２層ディスク用ドライブ部）、（ファイル管理インターフェイス部）
「書換可能型２層ディスク用ドライブ部」、「ファイル管理インターフェイス部」については、実施形態１と同様なので説明を省略する。
【００３８】
（ファイル管理部）
「ファイル管理部」は、各層毎に単層ディスクにディスクコピーするためのディスクコピー手段を有するように構成されている。それ以外の点は、実施形態１と同様なので説明を省略する。
（ディスクコピー手段）
「ディスクコピー手段」は、各層毎に単層ディスクにディスクコピーするように構成されている。ここで「ディスクコピー」とは、２層ディスクの一の層に記録されているすべてのファイルを単層ディスクに複写することをいう。また、ディスクコピー手段は、２層ディスクの一の層に記録されているすべてのファイルを他の層に複写するように構成することもできる。以下にディスクコピー手段の動作の一例を説明する。ディスクコピー手段にディスクコピーの起動がかけられると、ディスクコピー手段は、ファイル管理部が管理しているファイルの中からディスクコピーする層のファイルのみを選択する。次に選択したファイルを単層ディスクにディスクコピーする。なお、単層ディスクにディスクコピーするに際して、単層ディスク用のドライブ部を別に有する構成であってもよいし、書換可能型２層ディスク用ドライブ部が単層ディスクを読み書きできるように構成されていてもよい。ディスクコピー手段がディスクコピーするためのファイルは、書換可能型２層ディスク用ドライブ部、ファイル管理インターフェイス部に入出力されるなどして利用される。
【００３９】
（ハードウェア構成図）
以下に、本実施形態のハードウェア構成の一例について説明する。
図７は、本実施形態の記録再生装置のハードウェア構成の一例を示す概略図である。この図を利用して、記録再生装置のそれぞれのハードウェア構成部の働きについて説明する。この図にあるように、記録再生装置０７００は、書換可能型２層ディスク用ドライブ部０７０１を備えている。また、記録再生装置は、ファイル管理部０７０２に「ＣＰＵ（中央処理装置）」（０７０４）と、「主メモリ」（０７０５）と、「記憶装置」（０７０６）と、「内蔵時計」（０７０７）と、「ストリーム管理手段」（０７０８）と、「ディスクコピー手段」（０７１３）を備えている。また、記録再生装置は、ファイル管理インターフェイス部０７０３に「映像デコード器」（０７０９）と、「ＶＲＡＭ（Ｖｉｄｅｏ  Ｒａｎｄｏｍ  Ａｃｃｅｓｓ  Ｍｅｍｏｒｙ）」（０７１０）と、「ディスプレイ」（０７１１）を備えている。そして、それらが「システムバス」（０７１２）などのデータ通信経路によって相互に接続され、情報の送受信や処理を行う。
【００４０】
ディスクコピー手段は、各層毎に単層ディスクにディスクコピーする。それ以外のハードウェアの構成については実施形態１のハードウェア構成図と同様であるので説明を省略する。
【００４１】
以下に、２層ディスクの一の層のすべてのファイルを単層ディスクにディスクコピーする場合について説明する。ディスプレイが、ファイルの一覧を各層ごとに表示するまでの動作については実施形態１のハードウェア構成図の動作説明と同様であるので省略する。次にディスプレイに表示されているファイルの一覧の中から、単層ディスクにディスクコピーされる一の層のすべてのファイルが選択される。このファイルの選択操作は、例えば、マウス操作などによって行われる。ディスクコピー手段は、選択されたすべてのファイルを単層ディスクが搭載されているドライブに対してディスクコピーする。なお、ディスクコピー手段は、ハードウェアによる構成に限定されず、ソフトウェアによっても構成することができる。
【００４２】
<処理の流れ>
以下に、本実施形態の処理の流れについて説明する。
図８は、本実施形態の処理の流れの一例を説明するための図である。
まず、ファイル管理ステップは、書換可能型２層ディスク用ドライブ部から管理情報を取得する（ステップＳ０８０１）。
次に、ファイル管理インターフェイスステップは、記録されているファイルの一覧を各層ごとに表示する（ステップＳ０８０２）。
次に、ディスクコピーステップは、各層毎に単層ディスクにディスクコピーするかどうか判断する。判断の結果、ディスクコピーする場合にはステップＳ０８０４に進み、ディスクコピーしない場合には処理を終了する（ステップＳ０８０３）。
次に、ディスクコピーステップは、ステップＳ０８０３での判断結果がディスクコピーする場合には、各層毎に単層ディスクにディスクコピーする（ステップＳ０８０４）。
【００４３】
<実施形態２の効果の簡単な説明>
本実施形態の記録再生装置によれば、各層毎に単層ディスクにディスクコピーすることができる。
【００４４】
<<実施形態３>>
以下に、実施形態３について説明する。
<実施形態３の概念>
以下に本実施形態の概念について説明する。本実施形態は、ファイル管理部が、一の層に記録されたファイルを他の層に複写又は／及び、移動するための複写移動手段を有する実施形態１又は２に記載の記録再生装置に関する。
【００４５】
<構成要件の明示>
以下に、本実施形態の構成要件を明示する。
図９は、本実施形態の機能ブロックの一例を示すための図である。本実施形態の記録再生装置０９００は、書換可能型２層ディスク用ドライブ部０９０１と、ファイル管理部０９０２と、ファイル管理インターフェイス部０９０３と、からなる。また、ファイル管理部は、複写移動手段０９０５を有する。さらに、ファイル管理部は、ディスクコピー手段０９０４を有する構成であってもよい。
【００４６】
<構成要件の説明>
以下に、本実施形態の構成要件について説明をする。
（書換可能型２層ディスク用ドライブ部）、（ファイル管理インターフェイス部）、（ディスクコピー手段）
「書換可能型２層ディスク用ドライブ部」、「ファイル管理インターフェイス部」、「ディスクコピー手段」については、実施形態１又は２と同様なので説明を省略する。
【００４７】
（ファイル管理部）
「ファイル管理部」は、複写移動手段を有するように構成されている。それ以外の点は、実施形態１又は２と同様なので説明を省略する。
（複写移動手段）
「複写移動手段」は、一の層に記録されたファイルを他の層に複写又は／及び、移動するように構成されている。以下に複写移動手段の動作の一例を説明する。複写移動手段に複写の起動がかけられると、複写移動手段は、ファイル管理部が管理しているファイルの中から複写するファイルを選択する。次に選択したファイルの属性情報を複写先の層に書換えて複写先の層に複写する。ファイルの移動の場合には、複写元のファイルを削除する点が違うのみで、動作は複写と同様であるので説明を省略する。複写移動手段が複写移動するためのファイルは、書換可能型２層ディスク用ドライブ部、ファイル管理インターフェイス部に入出力されるなどして利用される。
【００４８】
図１０は、一の層に記録されたファイルを他の層に移動する場合の一例を示すための図である。図１０においては、ディスプレイに各層ごとにファイルの一覧が示されており、上段がファイルの移動前の画面であり、下段がファイルの移動後の画面である。図１０の上段には、下側にレイヤ０のファイル一覧がサムネイル表示されている（サムネイルＡ、サムネイルＢ、サムネイルＣ）。また上側にレイヤ１のファイル一覧がサムネイル表示されている（サムネイルＤ、サムネイルＥ）。この状態から、レイヤ１のサムネイルＤを選択して、レイヤ１に移動する操作を行うと、図１０の下段のように、下側にレイヤ０のサムネイルＡ、サムネイルＢ、サムネイルＣ、サムネイルＤ、上側にレイヤ１のサムネイルＥが表示された状態になる。
【００４９】
（ハードウェア構成図）
以下に、本実施形態のハードウェア構成の一例について説明する。
図１１は、本実施形態の記録再生装置のハードウェア構成の一例を示す概略図である。この図を利用して、記録再生装置のそれぞれのハードウェア構成部の働きについて説明する。この図にあるように、記録再生装置１１００は、書換可能型２層ディスク用ドライブ部１１０１を備えている。また、記録再生装置は、ファイル管理部１１０２に「ＣＰＵ（中央処理装置）」（１１０４）と、「主メモリ」（１１０５）と、「記憶装置」（１１０６）と、「内蔵時計」（１１０７）と、「ストリーム管理手段」（１１０８）と、「ディスクコピー手段」（１１１３）と、を備えている。また、記録再生装置は、ファイル管理インターフェイス部１１０３に「映像デコード器」（１１０９）と、「ＶＲＡＭ」（１１１０）と、「ディスプレイ」（１１１１）を備えている。そして、それらが「システムバス」（１１１２）などのデータ通信経路によって相互に接続され、情報の送受信や処理を行う。記憶装置が、複写移動用プログラム（複写移動手段）（アドレス０３）を有している点以外のハードウェアの構成については実施形態１又は２のハードウェア構成図と同様であるので説明を省略する。
【００５０】
以下に、一の層に記録されたファイルを他の層に複写する場合について説明する。ディスプレイが、ファイルの一覧を各層ごとに表示するまでの動作については実施形態１又は２のハードウェア構成図の動作説明と同様であるので省略する。次にディスプレイに表示されているファイルの一覧の中から、他の層に複写されるファイルが選択される。このファイルの選択操作は、例えば、マウス操作などによって行われる。選択されたファイルを他の層に複写する操作が行われると、複写移動用プログラム（アドレス０３）が起動される。複写移動用プログラムは、選択されたファイルを他の層に複写する。なお、複写移動手段は、上述の複写移動用プログラムなどのソフトウェアによる構成に限定されず、ハードウェアによっても構成することができる。
【００５１】
<処理の流れ>
以下に、本実施形態の処理の流れについて説明する。
図１２は、本実施形態の処理の流れの一例を説明するための図である。ステップＳ１２０１、ステップＳ１２０２については、実施形態２のステップＳ０８０１、ステップＳ０８０２と同様であるので説明を省略する。
次に、複写移動ステップは、一の層に記録されたファイルを他の層に複写又は／及び、移動するかどうか判断する。判断の結果、複写又は／及び、移動する場合にはステップＳ１２０４に進み、複写又は／及び、移動しない場合にはステップＳ１２０５に進む（ステップＳ１２０３）。
次に、複写移動ステップは、ステップＳ１２０３での判断結果が複写又は／及び、移動する場合には、一の層に記録されたファイルを他の層に複写又は／及び、移動する（ステップＳ１２０４）。
次に、ディスクコピーステップは、各層毎に単層ディスクにディスクコピーするかどうか判断する。判断の結果、ディスクコピーする場合にはステップＳ１２０６に進み、ディスクコピーしない場合には処理を終了する（ステップＳ１２０５）。
次に、ディスクコピーステップは、ステップＳ１２０５での判断結果がディスクコピーする場合には、各層毎に単層ディスクにディスクコピーする（ステップＳ１２０６）。
【００５２】
<実施形態３の効果の簡単な説明>
本実施形態の記録再生装置によれば、一の層に記録されたファイルを他の層に複写又は／及び、移動することができる。
【００５３】
<<実施形態４>>
以下に、実施形態４について説明する。
<実施形態４の概念>
以下に本実施形態の概念について説明する。本実施形態は、ファイル管理インターフェイス部が、各層毎に表示されたファイルの一覧中のファイルアイコンをドラッグ・ドロップすることで複写移動手段を制御するドラッグ・ドロップ手段を有する実施形態３に記載の記録再生装置に関する。
【００５４】
<構成要件の明示>
以下に、本実施形態の構成要件を明示する。
図１３は、本実施形態の機能ブロックの一例を示すための図である。本実施形態の記録再生装置１３００は、書換可能型２層ディスク用ドライブ部１３０１と、ファイル管理部１３０２と、ファイル管理インターフェイス部１３０３と、からなる。また、ファイル管理部は、複写移動手段１３０５を有する。また、ファイル管理インターフェイス部は、ドラッグ・ドロップ手段１３０６を有する。さらに、ファイル管理部は、ディスクコピー手段１３０４を有する構成であってもよい。
【００５５】
<構成要件の説明>
以下に、本実施形態の構成要件について説明をする。
（書換可能型２層ディスク用ドライブ部）、（ファイル管理部）、（ディスクコピー手段）、（複写移動手段）
「書換可能型２層ディスク用ドライブ部」、「ファイル管理部」、「ディスクコピー手段」、「複写移動手段」については、実施形態３と同様なので説明を省略する。
【００５６】
（ファイル管理インターフェイス部）
「ファイル管理インターフェイス部」は、ドラッグ・ドロップ手段を有するように構成されている。それ以外の点は、実施形態３と同様なので説明を省略する。
（ドラッグ・ドロップ手段）
「ドラッグ・ドロップ手段」は、各層毎に表示されたファイルの一覧中のファイルアイコンをドラッグ・ドロップすることで複写移動手段を制御するように構成されている。ここで「ドラッグ・ドロップ」とは、画面上のファイルアイコン上でマウスボタンを押し、ボタンを押したままで任意の場所まで移動させてマウスボタンを離す操作のことをいう。マウスボタンを押したままマウスを移動させることを「ドラッグ」といい、移動先でマウスボタンを離す操作を「ドロップ」といい、この２つの動作を連続させることからこう呼ばれる。ドラッグ・ドロップ手段による操作には、一例として、移動、複写などが挙げられる。以下にドラッグ・ドロップ手段の動作の一例を説明する。マウスのクリック動作により、一の層から他の層に移動するファイルアイコンが選択される。ここでファイルアイコンがドラッグされると、ドラッグ・ドロップ手段が起動され、画面上で移動したい層にファイルアイコンが移動したら、ファイルアイコンがドロップされる。すると、ドラッグ・ドロップ手段は、複写移動手段に対して、ファイルの属性情報を移動先の層に書換えて移動先の層にファイルを移動するように制御する。ファイルの複写の場合には、移動元のファイルを削除しない点が違うのみで、動作は移動と同様であるので説明を省略する。
【００５７】
（ハードウェア構成図）
以下に、本実施形態のハードウェア構成の一例について説明する。
図１４は、本実施形態の記録再生装置のハードウェア構成の一例を示す概略図である。この図を利用して、記録再生装置のそれぞれのハードウェア構成部の働きについて説明する。この図にあるように、記録再生装置１４００は、書換可能型２層ディスク用ドライブ部１４０１を備えている。また、記録再生装置は、ファイル管理部１４０２に「ＣＰＵ（中央処理装置）」（１４０４）と、「主メモリ」（１４０５）と、「記憶装置」（１４０６）と、「内蔵時計」（１４０７）と、「ストリーム管理手段」（１４０８）と、「ディスクコピー手段」（１４１３）を備えている。また、記録再生装置は、ファイル管理インターフェイス部１４０３に「映像デコード器」（１４０９）と、「ＶＲＡＭ」（１４１０）と、「ディスプレイ」（１４１１）と、「マウスコントローラ（ドラッグ・ドロップ手段）」（１４１４）と、を備えている。そして、それらが「システムバス」（１４１２）などのデータ通信経路によって相互に接続され、情報の送受信や処理を行う。マウスコントローラは、各層毎に表示されたファイルの一覧中のファイルアイコンをドラッグ・ドロップすることで複写移動用プログラム（複写移動手段）（アドレス０３）を制御する。その他のハードウェアの構成については実施形態３とハードウェア構成図と同様であるので説明を省略する。
【００５８】
以下に、一の層に記録されたファイルをドラッグ・ドロップすることにより他の層に移動する場合について説明する。ディスプレイが、ファイルの一覧を各層ごとに表示するまでの動作については実施形態３のハードウェア構成図の動作説明と同様であるので省略する。次にディスプレイに表示されているファイルの一覧の中から、他の層に移動するファイルアイコンの選択操作を行うと、マウスコントローラが起動され、ファイルが選択される。ここで選択されたファイルアイコンがドラッグ・ドロップされると、マウスコントローラによって、複写移動用プログラム（アドレス０３）が起動される。複写移動用プログラムは、選択されたファイルを他の層に移動する。なお、ドラッグ・ドロップ手段は、ハードウェアで構成することもできるし、ソフトウェアで構成することもできる。
【００５９】
<処理の流れ>
以下に、本実施形態の処理の流れについて説明する。
図１５は、本実施形態の処理の流れの一例を説明するための図である。ステップＳ１５０１、ステップＳ１５０２については、実施形態２のステップＳ０８０１、ステップＳ０８０２と同様であるので説明を省略する。
次に、複写移動ステップは、一の層に記録されたファイルを他の層に複写又は／及び、移動するかどうか判断する。判断の結果、複写又は／及び、移動する場合にはステップＳ１５０４に進み、複写又は／及び、移動しない場合にはステップＳ１５０６に進む（ステップＳ１５０３）。
次に、ドラッグ・ドロップステップは、ステップＳ１５０３での判断結果が複写又は／及び、移動する場合には、各層毎に表示されたファイルの一覧中のファイルアイコンをドラッグ・ドロップする（ステップＳ１５０４）。
次に、複写移動ステップは、一の層に記録されたファイルを他の層に複写又は／及び、移動する（ステップＳ１５０５）。
次に、ディスクコピーステップは、各層毎に単層ディスクにディスクコピーするかどうか判断する。判断の結果、ディスクコピーする場合にはステップＳ１５０７に進み、ディスクコピーしない場合には処理を終了する（ステップＳ１５０６）。
次に、ディスクコピーステップは、ステップＳ１５０６での判断結果がディスクコピーする場合には、各層毎に単層ディスクにディスクコピーする（ステップＳ１５０７）。
【００６０】
<実施形態４の効果の簡単な説明>
本実施形態の記録再生装置によれば、各層毎に表示されたファイルの一覧中のファイルアイコンをドラッグ・ドロップすることで複写移動手段を制御することができる。
【００６１】
<<実施形態５>>
以下に、実施形態５について説明する。
<実施形態５の概念>
以下に本実施形態の概念について説明する。本実施形態は、ファイル管理部が、各層に記録されたファイルの属性情報と、２層ディスクの属性情報とに基づいて各層毎の容量情報を管理する各層毎容量管理手段を有する実施形態１から４のいずれか一に記載の記録再生装置に関する。
【００６２】
<構成要件の明示>
以下に、本実施形態の構成要件を明示する。
図１６は、本実施形態の機能ブロックの一例を示すための図である。本実施形態の記録再生装置１６００は、書換可能型２層ディスク用ドライブ部１６０１と、ファイル管理部１６０２と、ファイル管理インターフェイス部１６０３と、からなる。また、ファイル管理部は、各層毎容量管理手段１６０７を有する。また、ファイル管理部は、ディスクコピー手段１６０４と、複写移動手段１６０５と、を有する構成であってもよい。さらに、ファイル管理インターフェイス部は、ドラッグ・ドロップ手段１６０６を有する構成であってもよい。
【００６３】
<構成要件の説明>
以下に、本実施形態の構成要件について説明をする。
（書換可能型２層ディスク用ドライブ部）、（ファイル管理インターフェイス部）、（ディスクコピー手段）、（複写移動手段）、（ドラッグ・ドロップ手段）
「書換可能型２層ディスク用ドライブ部」、「ファイル管理インターフェイス部」、「ディスクコピー手段」、「複写移動手段」、「ドラッグ・ドロップ手段」については、実施形態１から４のいずれか一と同様なので説明を省略する。
【００６４】
（ファイル管理部）
「ファイル管理部」は、各層毎容量管理手段を有するように構成されている。それ以外の点は、実施形態１から４のいずれか一と同様なので説明を省略する。
（各層毎容量管理手段）
「各層毎容量管理手段」は、各層に記録されたファイルの属性情報と、２層ディスクの属性情報とに基づいて各層毎の容量情報を管理するように構成されている。ここで「ファイルの属性情報」には、実施形態１で述べたように、一例として、ファイルが２層ディスクのどの層に記録されていたか、あるいはファイルが２層ディスクのどの層に記録されるべきかを示す情報（以下、層情報という）、ファイルの容量を示す情報、ファイルの記録時間を示す情報（録画時間、録音時間など）、ファイルのジャンルを示す情報、録画チャンネルを示す情報、ファイルとファイルとの関連を示す情報などが挙げられる。また「２層ディスクの属性情報」には、一例として、各層ごとに記録されているファイルの数・ファイル番号・記録容量、各層ごとの記録可能な残記録容量などが挙げられる。また、容量情報は、情報量の単位であるビット、バイト表示に限定されず、例えば、時間に換算した表示であってもよい。各層毎容量管理手段が行う管理には、一例として、以下のようなものが挙げられる。第一に、各層毎容量管理手段は、各層ごとに記録されているファイルの容量を計算する。第二に、各層毎容量管理手段は、各層ごとに記録されているファイルの容量を計算して各層ごとの全ファイルの容量を算出する。第三に、各層毎容量管理手段は、２層ディスクの全容量から記録済みの容量を引き算して記録可能な残記録容量を算出する。第四に、各層毎容量管理手段は、残記録容量を超えない容量のファイルが複写又は移動されようとした場合には、ファイルの複写又は移動後の残記録容量を算出する。第五に、各層毎容量管理手段は、残記録容量を超える容量のファイルが複写又は移動されようとした場合には、その旨をファイル管理インターフェイス部に出力する。上記各層毎容量管理手段での計算結果は、ファイル管理インターフェイス部や後述の容量情報依存制御手段（実施形態６参照）に出力されるなどして利用される。なお、各層毎容量管理手段は、ハードウェアで構成することもできるし、ソフトウェアで構成することもできる。
【００６５】
図１７は、各層ごとのファイルの一覧を、各層毎容量管理手段が管理する容量情報とともにディスプレイに表示する一例を示すための図である。図１７においては、下側にレイヤ０（合計３．７Ｇバイト）のファイル一覧が容量情報とともにサムネイル表示されている（サムネイルＡ（１．５Ｇバイト）、サムネイルＢ（１．２Ｇバイト）、サムネイルＣ（１．０Ｇバイト））。また上側にレイヤ１（合計２．４Ｇバイト）のファイル一覧が容量情報とともにサムネイル表示されている（サムネイルＤ（１．０Ｇバイト）、サムネイルＥ（１．４Ｇバイト））。
【００６６】
（ハードウェア構成図）
以下に、本実施形態のハードウェア構成の一例について説明する。
図１８は、本実施形態の記録再生装置のハードウェア構成の一例を示す概略図である。この図を利用して、記録再生装置のそれぞれのハードウェア構成部の働きについて説明する。この図にあるように、記録再生装置１８００は、書換可能型２層ディスク用ドライブ部１８０１を備えている。また、記録再生装置は、ファイル管理部１８０２に「ＣＰＵ（中央処理装置）」（１８０４）と、「主メモリ」（１８０５）と、「記憶装置」（１８０６）と、「内蔵時計」（１８０７）と、「ストリーム管理手段」（１８０８）と、「ディスクコピー手段」（１８１３）を備えている。また、記録再生装置は、ファイル管理インターフェイス部１８０３に「映像デコード器」（１８０９）と、「ＶＲＡＭ」（１８１０）と、「ディスプレイ」（１８１１）と、「マウスコントローラ（ドラッグ・ドロップ手段）」（１８１４）と、を備えている。そして、それらが「システムバス」（１８１２）などのデータ通信経路によって相互に接続され、情報の送受信や処理を行う。記憶装置が、各層毎容量管理用プログラム（各層毎容量管理手段）（アドレス０４）を有している点以外のハードウェアの構成については実施形態１から４のいずれか一とハードウェア構成図と同様であるので説明を省略する。
【００６７】
以下に、各層ごとのファイルの一覧を、各層毎容量管理手段が管理する容量情報とともにディスプレイに表示する場合について説明する。まず記録再生装置の電源を入れると、記憶装置に記憶されているファイル管理用プログラム（アドレス０１）が主メモリのワーク領域（アドレス１１）に展開され、ストリーム管理手段を介して書換可能型２層ディスク用ドライブ部からＴＯＣ情報を読み込む。ファイル管理用プログラムは、ＴＯＣ情報に基づいてサムネイル情報（サムネイル１、サムネイル２）を、ストリーム管理手段を介して取得し、主メモリに書き込む。ここまでの動作は、実施形態１から４のいずれか一と同様である。次にファイル管理インターフェイス部は、ファイル一覧生成用プログラム（アドレス０２）を、ファイル管理部は、各層毎容量管理用プログラム（アドレス０４）をそれぞれ起動して、主メモリのデータ領域に格納されているサムネイル１（レイヤ０：アドレス２１）、サムネイル２（レイヤ１：アドレス２２）に基づいて各層ごとのファイルの一覧を容量情報とともに生成し、保持する。以降の動作は、実施形態１から４のいずれか一と同様であるので省略する。
【００６８】
<処理の流れ>
以下に、本実施形態の処理の流れについて説明する。
図１９は、本実施形態の処理の流れの一例を説明するための図である。
まず、各層毎容量管理ステップは、書換可能型２層ディスク用ドライブ部から管理情報を取得し、各層に記録されたファイルの属性情報と、２層ディスクの属性情報とに基づいて各層毎の容量情報を管理する（ステップＳ１９０１）。
次に、ファイル管理インターフェイスステップは、記録されているファイルの一覧を容量情報とともに各層ごとに表示する（ステップＳ１９０２）。
次に、ステップＳ１９０３〜ステップＳ１９０７については、実施形態４のステップＳ１５０３〜ステップＳ１５０７と同様であるので説明を省略する。
【００６９】
<実施形態５の効果の簡単な説明>
本実施形態の記録再生装置によれば、各層に記録されたファイルの属性情報と、２層ディスクの属性情報とに基づいて各層毎の容量情報を管理することができる。
【００７０】
<<実施形態６>>
以下に、実施形態６について説明する。
<実施形態６の概念>
以下に本実施形態の概念について説明する。本実施形態は、ファイル管理部が、各層毎容量管理手段が管理する容量情報に基づいて複写移動手段を制御するための容量情報依存制御手段を有する実施形態５に記載の記録再生装置に関する。
【００７１】
<構成要件の明示>
以下に、本実施形態の構成要件を明示する。
図２０は、本実施形態の機能ブロックの一例を示すための図である。本実施形態の記録再生装置２０００は、書換可能型２層ディスク用ドライブ部２００１と、ファイル管理部２００２と、ファイル管理インターフェイス部２００３と、からなる。また、ファイル管理部は、各層毎容量管理手段２００７、容量情報依存制御手段２００８と、を有する。また、ファイル管理部は、ディスクコピー手段２００４と、複写移動手段２００５と、を有する構成であってもよい。さらに、ファイル管理インターフェイス部は、ドラッグ・ドロップ手段２００６を有する構成であってもよい。
【００７２】
<構成要件の説明>
以下に、本実施形態の構成要件について説明をする。
（書換可能型２層ディスク用ドライブ部）、（ファイル管理インターフェイス部）、（ディスクコピー手段）、（複写移動手段）、（ドラッグ・ドロップ手段）、（各層毎容量管理手段）
「書換可能型２層ディスク用ドライブ部」、「ファイル管理インターフェイス部」、「ディスクコピー手段」、「複写移動手段」、「ドラッグ・ドロップ手段」、「各層毎容量管理手段」については、実施形態５と同様なので説明を省略する。
【００７３】
（ファイル管理部）
「ファイル管理部」は、容量情報依存制御手段を有するように構成されている。それ以外の点は、実施形態５と同様なので説明を省略する。
（容量情報依存制御手段）
「容量情報依存制御手段」は、各層毎容量管理手段が管理する容量情報に基づいて複写移動手段を制御するように構成されている。容量情報依存制御手段は、一例として、一の層から他の層に複写又は移動するファイルの容量情報に応じて以下のように複写移動手段を制御する。第一の例は、複写又は移動するファイルの容量が、複写又は移動先の層の残記録容量を超えない場合には、そのファイルを複写又は移動するように複写移動手段を制御する。第二の例は、複写又は移動するファイルの容量が、複写又は移動先の層の残記録容量を超える場合には、そのファイルを複写又は移動しないように複写移動手段を制御する。なお、容量情報依存制御手段は、ハードウェアで構成することもできるし、ソフトウェアで構成することもできる。
【００７４】
（ハードウェア構成図）
以下に、本実施形態のハードウェア構成の一例について説明する。
図２１は、本実施形態の記録再生装置のハードウェア構成の一例を示す概略図である。この図を利用して、記録再生装置のそれぞれのハードウェア構成部の働きについて説明する。この図にあるように、記録再生装置２１００は、書換可能型２層ディスク用ドライブ部２１０１を備えている。また、記録再生装置は、ファイル管理部２１０２に「ＣＰＵ（中央処理装置）」（２１０４）と、「主メモリ」（２１０５）と、「記憶装置」（２１０６）と、「内蔵時計」（２１０７）と、「ストリーム管理手段」（２１０８）と、「ディスクコピー手段」（２１１３）を備えている。また、記録再生装置は、ファイル管理インターフェイス部２１０３に「映像デコード器」（２１０９）と、「ＶＲＡＭ」（２１１０）と、「ディスプレイ」（２１１１）と、「マウスコントローラ（ドラッグ・ドロップ手段）」（２１１４）と、を備えている。そして、それらが「システムバス」（２１１２）などのデータ通信経路によって相互に接続され、情報の送受信や処理を行う。記憶装置が、容量情報依存制御用プログラム（容量情報依存制御手段）（アドレス０５）を有している点以外のハードウェアの構成については実施形態５とハードウェア構成図と同様であるので説明を省略する。
【００７５】
以下に、一の層のファイルを他の層に移動する場合について説明する。まず記録再生装置の電源を入れると、記憶装置に記憶されているファイル管理用プログラム（アドレス０１）が主メモリのワーク領域（アドレス１１）に展開され、ストリーム管理手段を介して書換可能型２層ディスク用ドライブ部からＴＯＣ情報を読み込む。ファイル管理用プログラムは、ＴＯＣ情報に基づいてサムネイル情報（サムネイル１、サムネイル２）を、ストリーム管理手段を介して取得し、主メモリに書き込む。ここまでの動作は、実施形態１から４のいずれか一と同様である。次にファイル管理インターフェイス部は、ファイル一覧生成用プログラム（アドレス０２）を、ファイル管理部は、各層毎容量管理用プログラム（アドレス０４）をそれぞれ起動して、主メモリのデータ領域に格納されているサムネイル１（レイヤ０：アドレス２１）、サムネイル２（レイヤ１：アドレス２２）に基づいて各層ごとのファイルの一覧を容量情報とともに生成し、保持する。保持された各層ごとのファイルの一覧は、ＶＲＡＭに出力される。ＶＲＡＭは、各層ごとのファイルの一覧をディスプレイに出力する。ディスプレイは、ファイルの一覧を各層ごとに表示する。ここまでの動作は、実施形態５と同様である。次にディスプレイに表示されているファイルの一覧の中から、他の層に移動するファイルアイコンの選択操作を行うと、マウスコントローラが起動され、ファイルが選択される。ここで選択されたファイルアイコンがドラッグ・ドロップされると、マウスコントローラによって、容量情報依存制御用プログラム（アドレス０５）が起動される。容量情報依存制御用プログラム（アドレス０５）は移動元のファイル容量が、移動先の層の残記録容量を超えていないので複写移動用プログラム（アドレス０３）を起動し、次のように制御する。複写移動用プログラムは、選択されたファイルを他の層に移動する。なお、ドラッグ・ドロップ手段は、ハードウェアで構成することもできるし、ソフトウェアで構成することもできる。
【００７６】
<処理の流れ>
以下に、本実施形態の処理の流れについて説明する。
図２２は、本実施形態の処理の流れの一例を説明するための図である。ステップＳ２２０１、ステップＳ２２０２については、実施形態５のステップＳ１７０１、ステップＳ１７０２と同様であるので説明を省略する。
次に、複写移動ステップは、一の層に記録されたファイルを他の層に複写又は／及び、移動するかどうか判断する。判断の結果、複写又は／及び、移動する場合にはステップＳ２２０４に進み、複写又は／及び、移動しない場合にはステップＳ２２０８に進む（ステップＳ２２０３）。
次に、ドラッグ・ドロップステップは、ステップＳ２２０３での判断結果が複写又は／及び、移動する場合には、各層毎に表示されたファイルの一覧中のファイルアイコンをドラッグ・ドロップする（ステップＳ２２０４）。
次に、容量情報依存制御ステップは、各層毎容量管理ステップが管理する容量情報に基づいて複写移動ステップを制御する（ステップＳ２２０５）。
次に、複写移動ステップは、一の層に記録されたファイルを他の層に複写又は／及び、移動するか判断する。判断の結果、複写又は／及び、移動する場合には、ステップＳ２２０７に進み、複写又は／及び、移動しない場合には、ステップＳ２２０８に進む（ステップＳ２２０６）。
次に、複写移動ステップは、判断の結果、複写又は／及び、移動する場合には、一の層に記録されたファイルを他の層に複写又は／及び、移動する（ステップＳ２２０７）。
次に、ディスクコピーステップは、各層毎に単層ディスクにディスクコピーするかどうか判断する。判断の結果、ディスクコピーする場合にはステップＳ２２０９に進み、ディスクコピーしない場合には処理を終了する（ステップＳ２２０８）。
次に、ディスクコピーステップは、ステップＳ２２０８での判断結果がディスクコピーする場合には、各層毎に単層ディスクにディスクコピーする（ステップＳ２２０９）。
【００７７】
<実施形態６の効果の簡単な説明>
本実施形態の記録再生装置によれば、各層毎容量管理手段が管理する容量情報に基づいて複写移動手段を制御することができる。
【００７８】
<<実施形態７>>
以下に、実施形態７について説明する。
<実施形態７の概念>
以下に本実施形態の概念について説明する。本実施形態は、ファイル管理インターフェイス部が、各層毎容量管理手段が管理する容量情報に基づいて両層のファイルの中から単一層の記録容量をできるだけ満たすのに適したファイルの組合せを表示する組合表示手段を有する実施形態５又は６に記載の記録再生装置に関する。
【００７９】
<構成要件の明示>
以下に、本実施形態の構成要件を明示する。
図２３は、本実施形態の機能ブロックの一例を示すための図である。本実施形態の記録再生装置２３００は、書換可能型２層ディスク用ドライブ部２３０１と、ファイル管理部２３０２と、ファイル管理インターフェイス部２３０３と、からなる。また、ファイル管理部は、各層毎容量管理手段２３０７を有する。ファイル管理インターフェイス部は、組合表示手段２３０９を有する。また、ファイル管理部は、ディスクコピー手段２３０４と、複写移動手段２３０５と、容量情報依存制御手段２３０８と、を有する構成であってもよい。さらに、ファイル管理インターフェイス部は、ドラッグ・ドロップ手段２３０６を有する構成であってもよい。
【００８０】
<構成要件の説明>
以下に、本実施形態の構成要件について説明をする。
（書換可能型２層ディスク用ドライブ部）、（ファイル管理インターフェイス部）、（ディスクコピー手段）、（複写移動手段）、（ドラッグ・ドロップ手段）、（各層毎容量管理手段）、（容量情報依存制御手段）
「書換可能型２層ディスク用ドライブ部」、「ファイル管理インターフェイス部」、「ディスクコピー手段」、「複写移動手段」、「ドラッグ・ドロップ手段」、「各層毎容量管理手段」、「容量情報依存制御手段」については、実施形態５又は６と同様なので説明を省略する。
【００８１】
（ファイル管理インターフェイス部）
「ファイル管理インターフェイス部」は、組合表示手段を有するように構成されている。それ以外の点は、実施形態５又は６と同様なので説明を省略する。
（組合表示手段）
「組合表示手段」は、各層毎容量管理手段が管理する容量情報に基づいて両層のファイルの中から単一層の記録容量をできるだけ満たすのに適したファイルの組合せを表示するように構成されている。ここで「できるだけ満たすのに適したファイルの組合せを表示する」とは、一例として、組合せたファイルの合計容量が単一層の記録容量を超えないもののうちで、単一層の記録容量に最も近いファイルの組合せを表示することなどが挙げられる。単一層の記録容量に最も近いファイルの組合せが好ましいが、本発明は、それに限定されるものではなく、例えば、単一層の記録容量に二番目、三番目に近いファイルの組合せであってもよい。どの組合せを表示するかは、設計事項である。例えば、単一層の記録容量が４．７Ｇバイトであり、２層ディスクに記録されている組合せが、単一層の記録容量に近い順に４．７Ｇバイト、４．６Ｇバイト、４．５Ｇバイト、４．０Ｇバイト、３．７Ｇバイト、２．５Ｇバイトであるとする。このとき、組合表示手段は、ファイルの合計容量が４．０Ｇバイト以上になる組合せのうちで一番最初に検出された組合せを表示するように構成されているとする。この場合には、ファイルの組合せアルゴリズムによって、ファイルの合計の記録容量が４．７Ｇバイト、４．６Ｇバイト、４．５Ｇバイト、４．０Ｇバイトの４種類のファイルの組合せの表示が考えられることになる。なお、ファイルの組合せは、一つ表示するものであってもよいし同時に二以上表示するものであってもよい。
【００８２】
組合表示手段は、単層ディスクにディスクコピーする場合などに有効である。なお、組合表示手段は、ハードウェアで構成することもできるし、ソフトウェアで構成することもできる。以下、図を用いて組合表示手段による表示方法について説明する。
【００８３】
図２４は、組合表示手段が単一層の記録容量に最も近いファイルの組合せを表示する場合の一例を説明するための図である。まず、図２４においては、図１７で示したように、レイヤ０に１．５Ｇバイト、１．２Ｇバイト、１．０Ｇバイトのファイルが記録されており、レイヤ１に１．０Ｇバイト、１．４Ｇバイトのファイルが記録されているものとし、単一層の記録容量が４．７Ｇバイトであるとしている。このとき、組合表示手段は、単一層の記録容量が４．７Ｇバイトに最も近い組合せ（サムネイルＡ（１．５Ｇバイト：レイヤ０）、サムネイルＢ（１．２Ｇバイト：レイヤ０）、サムネイルＣ（１．０Ｇバイト：レイヤ０）、サムネイルＤ（１．０Ｇバイト：レイヤ１））を下段に表示している。なお、上段は、残りのファイル（サムネイルＥ（１．４Ｇバイト：レイヤ１））を示している。
【００８４】
（ハードウェア構成図）
以下に、本実施形態のハードウェア構成の一例について説明する。
図２５は、本実施形態の記録再生装置のハードウェア構成の一例を示す概略図である。この図を利用して、記録再生装置のそれぞれのハードウェア構成部の働きについて説明する。この図にあるように、記録再生装置２５００は、書換可能型２層ディスク用ドライブ部２５０１を備えている。また、記録再生装置は、ファイル管理部２５０２に「ＣＰＵ（中央処理装置）」（２５０４）と、「主メモリ」（２５０５）と、「記憶装置」（２５０６）と、「内蔵時計」（２５０７）と、「ストリーム管理手段」（２５０８）と、「ディスクコピー手段」（２５１３）を備えている。また、記録再生装置は、ファイル管理インターフェイス部２５０３に「映像デコード器」（２５０９）と、「ＶＲＡＭ」（２５１０）と、「ディスプレイ」（２５１１）と、「マウスコントローラ（ドラッグ・ドロップ手段）」（２５１４）と、「組合表示手段」（２５１５）と、を備えている。そして、それらが「システムバス」（２５１２）などのデータ通信経路によって相互に接続され、情報の送受信や処理を行う。ファイル管理インターフェイス部が、「組合表示手段」を有している点以外のハードウェアの構成については実施形態５又は６のハードウェア構成図と同様であるので説明を省略する。
【００８５】
以下に、各層毎容量管理手段が管理する容量情報に基づいて両層のファイルの中から単一層の記録容量をできるだけ満たすのに適したファイルの組合せを表示する場合について説明する。まず各層ごとのファイルの一覧が、ディスプレイに表示されるまでの動作については実施形態５又は６と同様なので説明を省略する。次にマウスコントローラによって、組合せ表示手段が起動されると、組合表示手段は、各層毎容量管理手段が管理する容量情報に基づいて両層のファイルの中から単一層の記録容量をできるだけ満たすのに適したファイルの組合せを表示する。
【００８６】
<処理の流れ>
以下に、本実施形態の処理の流れについて説明する。
図２６は、本実施形態の処理の流れの一例を説明するための図である。ステップＳ２６０１については、実施形態６のステップＳ２２０１と同様であるので説明を省略する。
次に、ファイル管理インターフェイスステップの組合表示ステップは、一各層毎容量管理手段が管理する容量情報に基づいて両層のファイルの中から単一層の記録容量をできるだけ満たすのに適したファイルの組合せを表示する（ステップＳ２６０２）。
次に、ステップＳ２６０３〜ステップＳ２６０９については、実施形態６のステップＳ２２０３〜ステップＳ２２０９と同様であるので説明を省略する。
【００８７】
<実施形態７の効果の簡単な説明>
本実施形態の記録再生装置によれば、各層毎容量管理手段が管理する容量情報に基づいて両層のファイルの中から単一層の記録容量をできるだけ満たすのに適したファイルの組合せを表示することができる。
【００８８】
<<実施形態８>>
以下に、実施形態８について説明する。
<実施形態８の概念>
以下に本実施形態の概念について説明する。本実施形態は、組合表示手段が、さらにファイル管理部からファイル属性情報を取得して、ファイル属性情報にも基づいて組合せを表示する実施形態７に記載の記録再生装置に関する。
【００８９】
<構成要件の明示>
本実施形態の構成要件については、実施形態７と同様であるので説明を省略する。
【００９０】
<構成要件の説明>
以下に、本実施形態の構成要件について説明をする。
（書換可能型２層ディスク用ドライブ部）、（ファイル管理インターフェイス部）、（ディスクコピー手段）、（複写移動手段）、（ドラッグ・ドロップ手段）、（各層毎容量管理手段）、（容量情報依存制御手段）
「書換可能型２層ディスク用ドライブ部」、「ファイル管理インターフェイス部」、「ディスクコピー手段」、「複写移動手段」、「ドラッグ・ドロップ手段」、「各層毎容量管理手段」、「容量情報依存制御手段」については、実施形態７と同様なので説明を省略する。
【００９１】
（ファイル管理インターフェイス部）
（組合表示手段）
「組合表示手段」は、さらにファイル管理部からファイル属性情報を取得して、ファイル属性情報にも基づいて組合せを表示するように構成されている。ここで「属性情報」には、実施形態１で述べたように、一例として、ファイルが２層ディスクのどの層に記録されていたか、あるいはファイルが２層ディスクのどの層に記録されるべきかを示す情報（以下、層情報という）、ファイルの容量を示す情報、ファイルの記録時間を示す情報（録画時間、録音時間など）、残記録時間の情報、ファイルのジャンルを示す情報、録画チャンネルを示す情報、ファイルとファイルとの関連を示す情報などが挙げられる。
【００９２】
図２７は、組合表示手段が、ファイル属性情報（ジャンル）に基づいて組合せを表示する場合の一例を説明するための図である。まず、図２７においては、ジャンルごとにファイルが組合されて表示されている。図２７の上段は、ジャンル：スポーツであり、サムネイルＣ（レイヤ０）と、サムネイルＤ（レイヤ１）が表示されている。下段は、ジャンル：映画であり、サムネイルＡ（レイヤ０）と、サムネイルＢ（レイヤ０）、サムネイルＥ（レイヤ１）が表示されている。
【００９３】
図２８は、組合表示手段が、ファイル属性情報（チャンネル）に基づいて組合せを表示する場合の一例を説明するための図である。まず、図２８においては、ジャンルごとにファイルが組合されて表示されている。図２７の上段は、チャンネル２で録画されたコンテンツであり、サムネイルＡ（レイヤ０）と、サムネイルＣ（レイヤ０）と、サムネイルＤ（レイヤ１）が表示されている。下段は、チャンネル１で録画されたコンテンツであり、サムネイルＢ（レイヤ０）と、サムネイルＥ（レイヤ１）が表示されている。
【００９４】
（ハードウェア構成図）
本実施形態のハードウェア構成については実施形態７と同様であるので説明を省略する。
【００９５】
<処理の流れ>
以下に、本実施形態の処理の流れについて説明する。
図２９は、本実施形態の処理の流れの一例を説明するための図である。ステップＳ２９０１、ステップＳ２９０２については、実施形態７のステップＳ２６０１、ステップＳ２６０２と同様であるので説明を省略する。
次に、組合表示ステップは、さらにファイル管理部からファイル属性情報を取得して、ファイル属性情報にも基づいて組合せを表示する（ステップＳ２９０３）。
次に、ステップＳ２９０４〜ステップＳ２９１０については、実施形態７のステップＳ２６０３〜ステップＳ２６０９と同様であるので説明を省略する。
【００９６】
<実施形態８の効果の簡単な説明>
本実施形態の記録再生装置によれば、さらにファイル管理部からファイル属性情報を取得して、ファイル属性情報にも基づいて組合せを表示することができる。
【００９７】
<<実施形態９>>
<実施形態９の概念>
以下に本実施形態の概念について説明する。本実施形態は、２層ディスクドライブの一の層を単層ディスクにディスクコピーするための単層ディスクドライブ部をさらに有する実施形態１から８のいずれか一に記載の記録再生装置に関する。
【００９８】
<構成要件の明示>
以下に、本実施形態の構成要件を明示する。
図３０は、本実施形態の機能ブロックの一例を示すための図である。本実施形態の記録再生装置３０００は、書換可能型２層ディスク用ドライブ部３００１と、ファイル管理部３００２と、ファイル管理インターフェイス部３００３と、単層ディスクドライブ部３０１０と、からなる。また、ファイル管理部は、各層毎容量管理手段３００７を有する。ファイル管理インターフェイス部は、組合表示手段３００９を有する。また、ファイル管理部は、ディスクコピー手段３００４と、複写移動手段３００５と、容量情報依存制御手段３００８と、を有する構成であってもよい。さらに、ファイル管理インターフェイス部は、ドラッグ・ドロップ手段３００６を有する構成であってもよい。
【００９９】
<構成要件の説明>
以下に、本実施形態の構成要件について説明をする。
（書換可能型２層ディスク用ドライブ部）、（ファイル管理インターフェイス部）、（ディスクコピー手段）、（複写移動手段）、（ドラッグ・ドロップ手段）、（各層毎容量管理手段）、（容量情報依存制御手段）、（組合表示手段）
「書換可能型２層ディスク用ドライブ部」、「ファイル管理インターフェイス部」、「ディスクコピー手段」、「複写移動手段」、「ドラッグ・ドロップ手段」、「各層毎容量管理手段」、「容量情報依存制御手段」、「組合表示手段」については、実施形態１から８のいずれか一と同様なので説明を省略する。
【０１００】
（単層ディスクドライブ部）
「単層ディスクドライブ部」は、２層ディスクドライブの一の層を単層ディスクにディスクコピーするように構成されている。ここで「単層ディスク」には、一例として、ＤＶＤ−Ｒ、ＤＶＤ−ＲＷ、ＤＶＤ−ＲＡＭ、ＤＶＤ−Ｖｉｄｅｏ、ＤＶＤ−ＶＲ、ＤＶＤ＋Ｒ、ＤＶＤ＋ＲＷ、ＤＶＤ＋ＶＲ、Ｂｌｕ−ｒａｙ  Ｄｉｓｋなどが挙げられる。ディスクコピー手段に、ディスクコピーの起動がかけられると、ディスクコピー手段は、書換可能型２層ディスク用ドライブ部からファイルを取得して、単層ディスクにファイルをコピーする。単層ディスクドライブ部を個別に有することにより、書換可能型２層ディスク用ドライブ部に単層ディスクを入れてディスクコピーをする必要がないという利点がある。
【０１０１】
（ハードウェア構成図）
本実施形態のハードウェア構成については、ディスクコピーのための単層ディスクドライブ部を有する点以外は、実施形態１から８のいずれか一と同様であるので説明を省略する。
【０１０２】
<処理の流れ>
本実施形態の処理の流れについては、ディスクコピーのための単層ディスクドライブ部を利用する点以外は、実施形態１から８のいずれか一と同様であるので説明を省略する。
【０１０３】
<実施形態９の効果の簡単な説明>
本実施形態の記録再生装置によれば、２層ディスクドライブの一の層を単層ディスクにディスクコピーすることができる。
【産業上の利用可能性】
【０１０４】
本発明は、２レイヤディスクのコンテンツ情報をレイヤごとに同時に表示することができる記録再生装置に利用可能である。
【図面の簡単な説明】
【０１０５】
【図１】実施形態１の概念図
【図２】実施形態１の機能ブロック図
【図３】実施形態１において、ディスプレイに各層ごとに表示されたファイルの一覧を説明するための図
【図４】実施形態１のハードウェア構成図
【図５】実施形態１の処理の流れ図
【図６】実施形態２の機能ブロック図
【図７】実施形態２のハードウェア構成図
【図８】実施形態２の処理の流れ図
【図９】実施形態３の機能ブロック図
【図１０】実施形態３において、一の層に記録されたファイルを他の層に移動する場合を説明するための図
【図１１】実施形態３のハードウェア構成図
【図１２】実施形態３の処理の流れ図
【図１３】実施形態４の機能ブロック図
【図１４】実施形態４のハードウェア構成図
【図１５】実施形態４の処理の流れ図
【図１６】実施形態５の機能ブロック図
【図１７】実施形態５において、各層ごとのファイルの一覧を、各層毎容量管理手段が管理する容量情報とともにディスプレイに表示する場合を説明するための図
【図１８】実施形態５のハードウェア構成図
【図１９】実施形態５の処理の流れ図
【図２０】実施形態６の機能ブロック図
【図２１】実施形態６のハードウェア構成図
【図２２】実施形態６の処理の流れ図
【図２３】実施形態７の機能ブロック図
【図２４】実施形態７において、組合表示手段が単一層の記録容量に最も近いファイルの組合せを説明するための図
【図２５】実施形態７のハードウェア構成図
【図２６】実施形態７の処理の流れ図
【図２７】実施形態８において、組合表示手段が、ファイル属性情報（ジャンル）に基づいて組合せを表示する場合を説明するための図
【図２８】実施形態８において、組合表示手段が、ファイル属性情報（チャンネル）に基づいて組合せを表示する場合を説明するための図
【図２９】実施形態８の処理の流れ図
【図３０】実施形態９の機能ブロック図
【符号の説明】
【０１０６】
０１００  記録再生装置
【図１】
0004443510.tif 000002
【図２】
0004443510.tif 000003
【図３】
0004443510.tif 000004
【図４】
0004443510.tif 000005
【図５】
0004443510.tif 000006
【図６】
0004443510.tif 000007
【図７】
0004443510.tif 000008
【図８】
0004443510.tif 000009
【図９】
0004443510.tif 000010
【図１０】
0004443510.tif 000011
【図１１】
0004443510.tif 000012
【図１２】
0004443510.tif 000013
【図１３】
0004443510.tif 000014
【図１４】
0004443510.tif 000015
【図１５】
0004443510.tif 000016
【図１６】
0004443510.tif 000017
【図１７】
0004443510.tif 000018
【図１８】
0004443510.tif 000019
【図１９】
0004443510.tif 000020
【図２０】
0004443510.tif 000021
【図２１】
0004443510.tif 000022
【図２２】
0004443510.tif 000023
【図２３】
0004443510.tif 000024
【図２４】
0004443510.tif 000025
【図２５】
0004443510.tif 000026
【図２６】
0004443510.tif 000027
【図２７】
0004443510.tif 000028
【図２８】
0004443510.tif 000029
【図２９】
0004443510.tif 000030
【図３０】
0004443510.tif 000031